(57)【要約】【課題】  本発明は、販売店に陳列され販売されているカード製品に関するもので、従来、カード部１とカード支持部２を別々に印刷及び抜き加工し、後で貼りつける煩雑な作業で長い工程で製作していたカード製品の工程を短縮して製作できる支持部一体型カード２０に関するものである。【解決手段】  本発明は、カード部１とカード支持部２とを同じ基材を使用し、一体で印刷および抜き加工し、カード部１とカード支持部２とが、連接部で連接し、連接部以外は分離している、ことを特徴とする支持部一体型カード。【選択図】  図１
2013198995.tif 000002
【特許請求の範囲】
【請求項１】
カード部とカード支持部とが同じ基材からなる支持部一体型カードであって、カード部は、カード支持部に四辺を囲まれ、カード部とカード支持部とは、連接部で連接し、連接部以外は分離している、ことを特徴とする支持部一体型カード。
【請求項２】
前記カード部とカード支持部とを連接する連接部は、カード部の少なくとも１対の対向する二辺に形成される、ことを特徴とする請求項１に記載する支持部一体型カード。
【請求項３】
前記カード部の四コーナーは、角丸形状で前記カード支持部と分離していることを特徴とする請求項１または請求項２に記載する支持部一体型カード。
【請求項４】
前記カード部の１辺における連接部の形成されている領域の長さは、２０ｍｍ〜４０ｍｍであることを特徴とする請求項１ないし請求項３のいずれか１項に記載する支持部一体型カード。
【請求項５】
前記カード部とカード支持部とを連接する連接部は、基材を打ち抜いた非連結部と、打ち抜かない連結部とからなり、非連結部と連結部との割合は、３：２から３：１であることを特徴とする請求項１ないし請求項４のいずれか１項に記載する支持部一体型カード。
【請求項６】
前記カード部とカード支持部とを連接する連接部の非連結部の長さは、１．０ｍｍ以上で、１．８ｍｍ以下であり、連結部の長さは、０．４ｍｍ以上で１．２ｍｍ以下であることを特徴とする請求項１ないし請求項５のいずれか１項に記載する支持部一体型カード。
【請求項７】
前記支持部一体型カードは、プラスチックシートまたは厚紙からなることを特徴とする請求項１ないし請求項６のいずれか１項に記載する支持部一体型カード。
【発明の詳細な説明】
【技術分野】
【０００１】
本発明は、プラスチックシートや厚紙を基材とした印刷物で、カードとカードを支持して立てかけられる支持部が連接部を介して一体となり、販売店に陳列され販売されているカード製品に関する。
【０００２】
カードの例としては、スクラッチカード、ギフトカードやプリペイドカード等を挙げることができる。
【背景技術】
【０００３】
近年、印刷されたプラスチックシートや厚紙のカード支持部体に、カードを取り付けた形体で立てかけて、陳列する印刷物が多く販売されている。
販売されているカードは、カード単体では、人の目に留まりにくいため、印刷されたプラスチックシートや厚紙のカード支持部体にカードを貼り付ける形体で、販売店で立て掛けて陳列して販売されているのが、一般的である。
【０００４】
前述したカードの表面とカード支持部体の表面には、カードの内容や使用方法などの説明書き及び販売店で陳列された時に人の目に留まるような印刷がなされている。
カードの裏面には、販売店で販売した時に金額を読みとるためのバーコードが印刷され、レジスターでカード支持部体からカードを剥がさないでもバーコードが、読み取れるように、カード支持部体には、バーコードに対応する部分に開口部が形成されて、この開口部にカードのバーコードが入るように、カードとカード支持部体とは、位置を合わせて貼り合わせてある。
また、カードを使用する際に必要な個別認識番号が印字されており、販売店で陳列されている際は、個別認識番号が見えなく、購入後に、カードを購入した人が個別認識番号を確認し使用できるようにスクラッチ加工がなされている。
【０００５】
前述した印刷されたプラスチックシートや厚紙の基材にカードを貼り付ける形体の従来の製品を製作する場合、後述する留意点がある。
第一に、裏面にスクラッチ加工がなされているカードは、プラスチックシートや厚紙の基材に糊や両面テープで貼り付けられているが、カード支持部体へ貼り付ける時に糊や両面テープが、スクラッチ部に接触し、スクラッチ部を傷付けないよう作業する上で、注意が必要である。
【０００６】
第二に、カードを販売する時にレジスターで、カード裏面の個別バーコードを読み取る必要があるため、カード支持部体には、カードに印字されたバーコードが入る開口部が形成され、更にカードのバーコードをカード支持部体の開口部に位置合わせして、貼りつける必要がある。
【０００７】
第三に、カード支持部体にカードが貼られていること又、バーコードが読み取れる位置に正しく貼り合わされていることを確認する作業（マッチング作業）も必要となる。
【０００８】
カード支持部体にカードを貼りつける作業は、前述するような作業負荷があり、作業ミスによるスクラッチ部の傷の発生やカード支持部体の開口部とカードのバーコードの位置ずれによるバーコード読み取りエラーなどが発生する場合がある。このような不良を改善、作業負荷の軽減および工程の削減が求められている。
【０００９】
特許文献１は、カードを分離可能に支持するカード支持部体を有するカード送付用台紙に関するものあり、カードの隅部をカード支持部体に挿入または、剥離可能な接着構造でカードをカード支持部に取り付けてあるものである。（段落（０００４）参照）
【先行技術文献】
【特許文献】
【００１０】
【特許文献１】特許第３３４３１６５号公報
【発明の概要】
【発明が解決しようとする課題】
【００１１】
従来は、カードとカード支持部体を各々で作成し、後工程でカード支持部体にカードを糊や両面テープで貼りつけるため工程数が多く、カード支持部体にカードが貼り付けされているかの確認作業（マッチング作業）が必要であった。
本発明は、カード支持部体とカードを同じ基材を用いて、一体で製作することで、製作工程数を削減するものである。
又同じ基材で、一体で製作されたカード支持部付カードは、販売店にて陳列され、取扱う際には、カードがカード支持部から離れ難く、またはカードをカード支持部から切り離す際には、連接部が容易に切り離すことができることが求められる。
特許文献１は、カードとカード支持部が同じ基材ではない点が本発明と相違しており、カードがカード支持部から脱落する可能性があり、カードがカード支持部についているかの確認作業が必要であり、また連続した絵柄印刷などができないという問題がある。
【００１２】
本発明は、上述したような課題を解決しようとするものである。
【課題を解決するための手段】
【００１３】
本発明の支持部一体型カードは、以下の各態様に記載の手段により上記の課題を解決するものである。
【００１４】
本発明の第１の態様は、カード部とカード支持部とが同じ基材からなる支持部一体型カードであって、カード部は、カード支持部に四辺を囲まれ、カード部とカード支持部とが、連接部で連接し、連接部以外は分離している、ことを特徴とするものである。
【００１５】
本発明の第２の態様は、前記第１の態様において、前記カード部とカード支持部とを連接する連接部が、カード部の少なくとも１対の対向する二辺に形成される、ことを特徴とするものである。
【００１６】
本発明の第３の態様は、前記第１または第２の態様において、前記カード部の四コーナーが、角丸形状で前記カード支持部と分離していることを特徴とするものである。
【００１７】
本発明の第４の態様は、前記第１から第３の何れかの態様において、前記カード部の１辺における連接部の形成されている領域の長さが、２０ｍｍ〜４０ｍｍであることを特徴とするものである。
【００１８】
本発明の第５の態様は、前記第１から第４の何れかの態様において、前記カード部とカード支持部とを連接する連接部が、基材を打ち抜いた非連結部と、打ち抜かない連結部とからなり、非連結部と連結部との割合が、３：２から３：１であることを特徴とするものである。
【００１９】
本発明の第６の態様は、前記第１から第５の何れかの態様において、前記カード部とカード支持部とを連接する連接部の非連結部の長さが、１．０ｍｍ以上で、１．８ｍｍ以下であり、連結部の長さが、０．４ｍｍ以上で１．２ｍｍ以下であることを特徴とするものである。
【００２０】
本発明の第７の態様は、前記第１から第６の何れかの態様において、前記支持部一体型カードが、プラスチックシートまたは厚紙からなることを特徴とするものである。
【００２１】
本発明において、連接とは、基材を打ち抜き刃で打ち抜いた非連結部と、打ち抜かない連結部とを連続的に形成することを意味するもので、連接部とは、該非連結部と該連結部が連続的に形成された領域を意味する。
【００２２】
又、本発明においてスクラッチ加工とは、基材にそれぞれのカード固有の認識番号が印字された上面に人が目視で認識できないように、厚く不透明インクを印刷、または透明ラベルに厚く不透明インクを印刷したラベルを貼り付けし、カードを使用する時に不透明なインクを削り、下のカード固有の認識番号を読み取ることができる為の加工である。
【００２３】
又、本発明においてマッチング作業とは、カード支持部体にカードが付いているか、カードに印刷されたバーコードが、カード支持部体に形成された開口部の正しい位置に貼り合わされているかを確認する作業のことである。
【発明の効果】
【００２４】
カード部とカード支持部とを別々に印刷した後、打ち抜き加工し、糊や両面テープでの貼り付け工程を行い、更にマッチング作業を必要とした従来のものに対して、本発明は、カード部とカード支持部とを同じ基材を使用し、一体で印刷及び抜き加工することにより、工程を短縮することが可能となり、カード部とカード支持部に跨る連続した絵柄の印刷も可能となる。
【図面の簡単な説明】
【００２５】
【図１】連接部で連接された支持部一体型カードの平面図である。
【図２】連接部で連接された支持部一体型カードの多面付けの平面図である。
【図３】従来の台紙に取り付けたカードの断面図（Ａ）と裏面から見た平面図（Ｂ）である。
【図４】連接部で連接された支持部一体型カードの断面図（Ａ）と裏面から見た平面図（Ｂ）である。
【図５】連接部の変形例の図である。
【図６】取出し部を設けた支持部一体型カードの平面図である。
【図７】各種形状の連接部を形成した基材の評価方法を示した図である。
【発明を実施するための形態】
【００２６】
以下、支持部一体型カード２０の構成について図１Ａを参照して説明する。
【００２７】
支持部一体型カード２０は、販売店での陳列や販売業務などの取り扱い時には、カード部１がカード支持部２から脱落し難く、一方、購入した後で、カードを使用する時には、カード部１を容易に且つ綺麗にカード支持部２から取り外すことができるように、カード連接部１１の形状が設計される。
【００２８】
同じ基材からなる前記カード部１と前記カード支持部２で該カード部１は、該カード支持部２に四辺を囲まれ、該カード部１と該カード支持部２とは、前記カード連接部１１で連接し、該カード連接部１１以外は、分離している。該カード支持部２には、販売店で陳列する際に引っ掛けて立て陳列するための引き掛け部３が形成されている。
【００２９】
さらに該カード部１の４コーナー部の領域には、該カード連接部１１を形成せず、角丸形状で前記カード支持部２と分離している。コーナー部は、分離し難い部分であり、あらかじめ分離していることにより、分離不良は、確実に防止できる。
【００３０】
次に前記カード部１とカード支持部２を連接する前記カード連接部１１の全体の配置について説明する。
図１Ａでは、該カード連接部１１は、該カード部１の４辺のそれぞれの辺に一箇所だけ形成されているが、該カード連接部１１は、少なくとも対向する2辺に形成されていれば良い。
【００３１】
前記カード１の４辺の内の３辺が前記カード支持部２と分離して、４辺の残りの１辺だけに前記カード連接部１１が形成された前記支持部一体型カード２０は、取り扱いの際に１箇所の該カード連接部１１が離れるとカード部１が脱落し、使用したカードとの区別ができなくなるが、該カード連接部１１が２辺に形成されている該支持部一体型カード２０は、１箇所の該カード連接部１１が離れてもカード部１が脱落することはなく、カード部１が未使用状態であることの証しとすることができる。
カードを使用する時には、該カード部１を容易に且つ綺麗に該カード支持部２から取り外す必要はあるが、取り扱い時の脱落事故は、最も避けなければならないため、少なくとも対向する２辺に該カード連接部１１を形成することにより、カード部１が脱落する事故を減少させることができる。
【００３２】
次に前記カード連接部１１の前記カード部１の各辺における配置について説明する。
図１Ａでは、該カード部１の1辺に形成される該カード連接部１１は、1箇所であるが、図１Ｂに記載されるように、複数個所に分散して形成しても良い。
図１Ｂは、該カード連接部１１を全体の長さは変えないで、それぞれ２分割した場合を示した図である。
図１Ａの該カード部１の長辺にある長さａの該カード連接部１１ａを長さａ１のカード連接部１１ｅと長さａ２のカード連接部１１ｆとに２分割し、同様に図１Ａの該カード部１の短辺にある長さｂの該カード連接部１１ｂを長さｂ１のカード連接部１１ｇと長さｂ２のカード連接部１１ｈとに２分割した形体を図１Ｂに示す。
【００３３】
前記カード連接部を分割した場合の効果について、図１Ａと図１Ｂを参照して説明する。
前記カード部１と前記カード支持部２は、該カード部１を取出し易くするため、該カード連接部１１以外は、分離された形体であるが、分離している領域が長いほど分離はし易いが、水平にした時に該カード部１のコーナー部が自重で垂れ下がり、取扱いの問題を生じる場合がある。
【００３４】
図１Ｂに示すように前記カード連接部１１を分割した前記カード部１のコーナー部の領域で、該カード部１と該カード支持部２とが分離している領域の長さ（Ｆ１からＦ２）、すなわち前記カード連接部１１ｆと前記カード連接部１１ｇとの間の距離が、図１Ａの長さ（Ｅ１からＥ２）に比べ短い為、薄い基材や柔らかい基材を用いた場合においても、自重でコーナー部が垂れ下がり難く、取り扱いの際に部分的に折れて製品の見栄えを損なう不具合を生じにくい。
【００３５】
前記カード連接部１１を複数に分散することにより個々の該カード連接部１１の長さは、短くなるが、該カード連接部１１間の分離している長さを短くすることにより、上述したような不具合を防止できる。
【００３６】
次に図５を参照してカード連接部１１の変形例を説明する。
図５Ａ及び図５Ｂは、カード部１の対向する１対の辺に各１箇所カード連接部がある支持部一体型カードを示す図である。
図５Ｃは、対向する１対の辺に各１箇所とその他の１辺に１箇所の全部で３箇所にカード連接部がある支持部一体型カードを示す図である。
図５Ｄは、対向する１対の辺に各２箇所と他の対向する辺に各１箇所の全部で６箇所にカード連接部がある支持部一体型カードを示す図である。
該カード連接部の形状は、カードに使用する基材の特性やカードの大きさにより、上述したような変形により、輸送や販売する際などの取扱いでは脱落せず、使用する時には、分離し易い形状を選択する。
【００３７】
前記カード１をカード支持部２から切り離し易くするために、カード１と分離しているカード支持部２の４コーナーの少なくても１コーナー部にカード取出し部１５を形成しても良い。図６Ａは、カード支持部２のコーナー部に人の指がかかる開口した取出し部１５を設けた支持部一体型カードを示す図である。図６Ｂは、カード支持部２のコーナー部に指で押し込みがし易いように、一部連結部を残して、切込みを形成した取出し部１５を設けた支持部一体型カードを示す図である。
【００３８】
次にカード連接部１１の非連結部と連結部の長さと比率について図７及び表１を参照して説明する。
評価を行ったカード連接部１１の非連結部と連結部の長さと比率の一覧および各評価結果の一覧を表１に示す。
【００３９】
【表１】
2013198995.tif 000003
【００４０】
評価した基材および評価方法について図７に示す。
【００４１】
評価基材は、図７Ａに示すように、短辺６０ｍｍ、長辺１００ｍｍの長方形で厚さ  ０．２５ｍｍのＰＥＴフィルムに、短辺の中央部を通り一方向（ｇ１からｇ２）に直線状に非連結部と連結部からなる連接部を、形成し作成した。
【００４２】
前記連接部は、表１に示すように非連結部は０．９ｍｍから１．８ｍｍの範囲で連結部は０．３ｍｍから１．４ｍｍの範囲の各種長さで打ち抜き、それぞれの基材について強度と切り離し易さの評価を行った。
連結部は、加工可能な限界が０．３ｍｍであったので、連結部の最短の長さを０．３ｍｍとした。
【００４３】
強度の評価は、連接部を形成した基材を図７Ｂ及び図７Ｃに示すように基材の下面両端部を水平に保持した時に基材の連接部での折れ方で評価した。
図７Ｂに示すように連接部が折れずに平坦な状態を維持している場合を良判定とし、図７Ｃのように連接部が下方に折れた場合を不良とした。
【００４４】
切り離し易さの評価は、連接部の端ｇ１から手で切り離した時の基材の破れ方で、図７Ｄに示すように直線状に中央で切り離された場合を良判定とし、図７Ｅに示すように途中で連接部以外の部分に破れが入る場合や切り離しが出来ない場合を不良判定とした。
【００４５】
上述した評価は、それぞれ５０枚の基材を評価して、すべて良判定を○、５０枚中１枚から５枚不良が発生した場を△、不良が６枚以上発生した場合を×とした。
表１に結果の一覧（Ｔ１からＴ１４）を示す。
【００４６】
カード連接部は、強度評価が良で且つ切り離し評価も良であることが必要であり、この条件を満足できる長さの条件は、非連結部が１．０ｍｍから１．８ｍｍの範囲で、連結部が０．４ｍｍから１．２ｍｍの範囲であった。
【００４７】
又カード連接部の強度評価が良で且つ切り離し評価も良である非連結部と連結部の比率の範囲は３：１から３：２であった。
強度評価と切り離し評価で最も良かったのは、非連結部が１．５ｍｍで連結部が０．５ｍｍの場合であった。
【００４８】
次にカード部の４辺の各１辺におけるカード連接部の長さについて図１Ａおよび表２を参照して実験結果を説明する。
評価を行ったカード連接部１１の長さおよび各評価結果の一覧を表２に示す。
【００４９】
【表２】
2013198995.tif 000004
【００５０】
評価基材は、厚さ  ０．２５ｍｍのＰＥＴフィルムを用いて、カード部の１辺におけるカード連接部１１の長さを表２に示すように５ｍｍから５０ｍｍまで５ｍｍ単位で変えた図１Ａに示すような支持部一体型カード２０を形成し作成した。
カード連接部１１は、非連結部が１．５ｍｍで連結部が０．５ｍｍで、連続する直線状で各辺に同じ長さで作成し、カード部１の切り離しの容易さとカード部１の脱落について評価を行った。
【００５１】
切り離しの容易さは、カード部１を手で切り離した時に容易に切り離しができる場合を良判定○とし、切り離し難い場合が△とし、切り離しが出来ない場合を不良×とした。
【００５２】
脱落の評価は、支持部一体型カードのカード支持部のコーナー部を手で持ち、支持部一体型コードを振動させた時にカード部が脱落した場合が不良×とし、脱落しない場合を良○とした。
【００５３】
表２に評価結果の一覧（Ｔ１５からＴ２４）を示す。
切り離し評価と脱落評価を総合するとカード連接部１１は、２０ｍｍから４０ｍｍの範囲が適していた。
【００５４】
次にカード連接部の分割について図１Ａ、図１Ｂおよび表３を参照して実験結果を説明する。
評価を行ったカード連接部１１の分割した長さおよび各評価結果の一覧を表３に示す。
【００５５】
【表３】
2013198995.tif 000005
【００５６】
評価基材は、厚さ  ０．２５ｍｍのＰＥＴフィルムを各辺のカード連接部１１をそれぞれ２分割し、各カード連接部が表３に示すように１０ｍｍから２０ｍｍまで５ｍｍ単位で変えて図１Ｂに示すような支持部一体型カード２０を形成し作成した。
【００５７】
図１Ａに示すようにカード部の長辺の１辺の長さがａのカード連接部１１ａを図１Ｂに示すように長さａ１の１１ｅと長さａ２の１１ｆとに分割し、又図１Ａに示すようなカード部の短辺の１辺の長さがｂのカード連接部１１ｂを図１Ｂに示すように長さがｂ１の１１ｇと長さがｂ２の１１ｈとに２分割した。
【００５８】
上述したカード部の４辺の各１辺におけるカード連接部の長さの評価で、問題のなかったカード連接部の長さが、２０ｍｍ（Ｔ１８）と３０ｍｍ（Ｔ２０）と４０ｍｍ（Ｔ２２）のカード連接部を２分割し各１０ｍｍ（Ｔ２５）と１５ｍｍ（Ｔ２６）と２０ｍｍ（Ｔ２７）の支持部一体型カードを作成した。
カード連接部１１は、非連結部が１．５ｍｍで連結部が０．５ｍｍで、連続する直線状で各辺に同じ長さで作成し、カード部１の切り離しの容易さとカード部１の脱落について評価を行った。本評価内容は、前記表２で記載した評価内容のものと同様の評価内容である。
【００５９】
表３に評価結果一覧（Ｔ２５からＴ２７）を示す。
４辺の各１辺に形成された長さが２０ｍｍのカード連結部１１を長さが１０ｍｍで２箇所に分割した支持部一体型カードを作成し、カード部１の切り離しの容易さとカード部１の脱落について評価を行った結果（Ｔ２５）いずれの評価も問題なく良好であった。カード連接部１１が３０ｍｍの場合および４０ｍｍの場合においても同様に２分割した結果は、表３（Ｔ２６）及び（Ｔ２７）に示すように問題なく良好であった。
【００６０】
（材質に関する実施形態）
基材としては、厚さが０．１８ｍｍから０．３８ｍｍのＰＥＴ材、ＰＶＣ材やＰＥＴ−Ｇ材（非結晶性ポリエステル）のプラスチックシートおよび厚さ０．２ｍｍから０．４ｍｍの厚紙が使用できる。厚紙としては、上質紙、合成紙、紙にラミネート加工したものが使用できる。
【００６１】
（連接部の加工方法）
カード部とカード支持部の抜き加工は、ピナクル刃またはビク刃を使用して、分離部は抜き刃で形成し、カード連接部１１およびカード支持部連接部１３は、連接刃で打ち抜き加工にて形成できる。
【００６２】
（カード部の形体）
長方形でコーナーが丸みを帯びた形状が一般的あり、サイズも数種類あるが、代表的なサイズである長辺の長さが８５．６０ｍｍで短辺の長さが５４．００ｍｍの大きさで、角丸形状のコーナーのＲは３．０ｍｍの形体とした。
【００６３】
（カード支持部の形体）
カード支持部の内にカードが入る大きさで、陳列するときに立てかける為の開口を有する形状であり、長辺の長さが１３５．００ｍｍで短辺の長さが１０５．００ｍｍの大きさで、角丸形状のコーナー部はR３．０ｍｍの形体とした。
カード支持部の上部には、陳列する時に引き掛けて立てかける直径８．０ｍｍの円状の開口部を形成した。
【実施例】
【００６４】
支持部一体型カードの実施例を説明する。
基材は、厚さ０．２５ｍｍのＰＥＴ材料のシートのロールを使用し、カードの裏面となる面にロールツーロールのコーターを用いて、アンダーコート剤を形成した後にバーコード印字するための表面処理加工として、ＰＥＴ表面にバーコード受像層を塗布加工した。
【００６５】
次にロール状態からシートカット装置にてシートへ断裁し、枚葉オフセット印刷機でＰＥＴシートの両面に絵柄を印刷した。
次にカード部の裏面にバーコードや情報をインクジェットプリンターで印字し、枚葉オフセット印刷機を用いて、バーコード印字面に保護膜層を印刷した後、シルク印刷機にてスクラッチ層を印刷して、ＰＥＴシートに多面付けで支持部一体型カードを製作した。
【００６６】
本実施例では、支持部一体型カードを９面付けで製作されたＰＥＴシートを、平台活版機で抜き加工および連接部形成加工を行った。カード部とカード支持部の抜き加工は、０．８ｍｍのピナクル刃を使用して、分離部は抜き刃で形成し、カード連接部１１およびカード支持部連接部１３は、連接刃で打ち抜き加工にて形成した。
【００６７】
図２に示すように、９面ある支持部一体型カード２０のそれぞれの外縁にＰＥＴシート基材１２と連接するカード支持部連接部１３を２箇所設け、それ以外の外縁は分離し、又各支持部一体型カード２０を構成するカード部１とカード支持部２とは、４箇所のカード連接部１１で連接し、それ以外のカード部１の外縁は、カード支持部２と分離した。
【００６８】
カード連接部１１の長さは、４辺それぞれ３０ｍｍとし、非連結部が１．５ｍｍで連結部が０．５ｍｍとした。カード支持部連接部は、４辺それぞれ４０ｍｍとし、非連結部が１．８ｍｍで連結部が０．６ｍｍとした。
【００６９】
次にＰＥＴシート基材より９面付いている支持部一体型カードを個別に分離した。
個別に分離した支持部一体型カードは、区分けして帯掛けを行い梱包した。
上述した工程で製作した支持部一体型カードは、販売店への輸送及び陳列での取扱いでは、カード部が脱落することが無く、カードを使用する際は、カード支持部からのカード部の切り離しは、カード連接部以外が破れたりすることもなく、容易に分離できた。
【００７０】
図３Ａは、従来のカード支持体にバーコード印刷、スクラッチ印刷や絵柄印刷されたカードが糊や両面テープで貼り付けた状態の断面図で、図３Ｂは、裏面から見た平面図である。
【００７１】
図４Ａは、本実施例でのカード部とカード支持部とを同じ基材で製作した支持部一体型カードの断面図であり、図４Ｂは、裏面から見た平面図である。
【００７２】
図３Ａ、図３Ｂと図４Ａ、図４Ｂを参照して支持部一体型カードの特徴を説明する。
【００７３】
従来の形体は、図３Ａ及び図３Ｂに示すようにカード部１の裏面に印字されたバーコート８がカード支持体２に貼り付けた形体で裏面から読み取れるような開口部４の形成とカードと位置合わせが必要であった。貼り付けは一般に糊や両面テープが使われるが、接触により、スクラッチ部を傷つけたりする問題もあった。図３には、記載してないが、カード部１およびカード支持体２の表裏には、絵柄が印刷されるが、カード部１とカード支持体２が別々で印刷されるため、連続した絵柄が印刷できなかった。
【００７４】
上述した従来の形体に対して、本実施例で製作した形体を図４Ａ及び図４Ｂで説明する。カード部１とカード支持部２を同じ基材で一体として、絵柄印刷、バーコード印字８、スクラッチ印刷５をすることにより、印刷工程数を減らすことができた。カード支持部２の開口部形成工程やカード部１とカード支持部２との貼り合わせも必要無くなり、工程数を削減できた。又カード部１とカード支持部２が一体の基材である為、図４には、示されてないが、連続した絵柄印刷も可能となり、カード部１とカード支持部２の印刷された絵柄も見た目に相違が見られない品質の製品が可能となった。又従来カード支持体の裏面のカードサイズに相当する分の印刷領域が少なくなり、インク量も削減できた。
【符号の説明】
【００７５】
１      カード部
２      カード支持部、カード支持体
３      引き掛け部
４      開口部
５      スクラッチ印刷部
６      カード印刷部
７      カード支持部印刷部
８      バーコード印刷部
１１    カード連接部
１１ａ  カード連接部
１１ｂ  カード連接部
１１ｃ  カード連接部
１１ｄ  カード連接部
１１ｇ  カード連接部
１１ｈ  カード連接部
１２    基材
１３    カード支持部連接部
１４    貼付部
１５    取出し部
２０    支持部一体型カード
【図１】
2013198995.tif 000006
【図２】
2013198995.tif 000007
【図３】
2013198995.tif 000008
【図４】
2013198995.tif 000009
【図５】
2013198995.tif 000010
【図６】
2013198995.tif 000011
【図７】
2013198995.tif 000012